(57)【要約】【課題】  動画撮影記録中に撮影条件を設定変更する際の利便性を向上させることができる撮影装置及びそのプログラムを実現する。【解決手段】  動画撮影記録処理を開始すると（Ｓ３）、メニュー表示を行なうか否かを判断する（Ｓ４）。そして、メニュー表示を行なうと判断するとメニューを撮影画像とともに画像表示部１０に表示さる（Ｓ５）。そして、撮影条件の設定を変更させるか否かを判断する（Ｓ６）。このとき、ユーザは画像表示部１０に表示されたメニューにしたがって、キー入力部１５を操作することにより、撮影条件の設定の変更を行うことができ、ユーザが撮影条件の設定を行う旨のキー操作を行うと撮影条件の設定を行うと判断する。そして、撮影条件の設定を変更すると判断すると、撮影条件の設定の変更を行う（Ｓ９）。【選択図】  図２
2006094145.tif 000002
【特許請求の範囲】
【請求項１】
被写体を撮像し、動画データを出力する撮像手段と、
前記撮像手段から出力された動画データを記録手段に記録する記録制御手段と、
この記録制御手段により動画データが前記記録手段に記録されているときに、前記撮像手段から出力された動画データを表示手段に表示させる表示制御手段と、
前記記録制御手段により動画データが前記記録手段に記録されているときに、撮影装置の設定を変更させるためのメニュー画面を前記表示手段に表示させるメニュー表示制御手段と、
このメニュー表示制御手段により前記表示手段に表示されたメニュー画面にしたがって、ユーザが撮影装置の設定を変更するための設定変更手段と、
を備えたことを特徴とする撮影装置。
【請求項２】
ユーザが前記記録制御手段により前記撮像手段から出力された動画データが前記記録手段に記録している最中にメニュー画面を前記表示手段に表示させるために操作するメニュー表示指示手段を備え、
前記メニュー表示制御手段は、
ユーザによって前記メニュー表示指示手段が操作された場合に、撮影装置の設定を変更させるためのメニュー画面を前記表示手段に表示させることを特徴とする請求項１記載の撮影装置。
【請求項３】
前記メニュー表示制御手段は、
前記表示制御手段により前記表示手段に表示される動画データと同時に、前記メニュー画面を前記表示手段に表示させる手段を含むことを特徴とする請求項１又は２記載の撮影装置。
【請求項４】
前記記録制御手段は、
前記表示制御手段及びメニュー表示制御手段により前記表示手段に表示される動画データ及びメニュー画面のうち動画データを前記記録手段に記録し、メニュー画面の前記記録手段への記録を禁止する手段を含むことを特徴とする請求項１乃至３の何れかに記載の撮影装置。
【請求項５】
ユーザが第１のモード及び第２のモードのいずれかを選択するための選択手段を備え、
前記記録制御手段は、
前記選択手段により第１のモードが選択された場合、前記メニュー表示制御手段により前記表示手段に表示されたメニュー画面に係るデータの前記記録手段への記録を禁止する手段を含むことを特徴とする請求項１乃至３の何れかに記載の撮影装置。
【請求項６】
前記記録制御手段は、
前記選択手段により第２のモードが選択された場合、前記撮像手段から出力された動画データ、及び、前記メニュー表示制御手段により前記表示手段に表示されたメニュー画面に係るデータを前記記録手段に記録することを特徴とする請求項５記載の撮影装置。
【請求項７】
前記記録制御手段は、
前記撮像手段から出力された動画データと、前記メニューに係るデータとを関連付けて前記記録手段に記録することを特徴とする請求項６記載の撮影装置。
【請求項８】
前記記録制御手段は、
前記撮像手段から出力された動画データと、前記メニュー画面の画像データとを合成し、１つの動画データとして前記記録手段に記録することを特徴とする請求項６記載の撮影装置。
【請求項９】
前記撮影装置の設定を変更させるためのメニュー画面は、
動画撮影用の設定を変更させるためのメニュー画面であり、
前記設定変更手段は、
前記メニュー表示制御手段により前記表示手段に表示されたメニュー画面にしたがって、ユーザが動画撮影用の設定を変更する手段を含むことを特徴とする請求項１乃至８の何れかに記載の撮影装置。
【請求項１０】
前記記録制御手段は、
前記設定変更手段により動画撮影用の設定が変更された場合は、該変更された設定で前記動画データを前記記録手段に記録することを特徴とする請求項９記載の撮影装置。
【請求項１１】
前記撮像手段から出力された動画データに画像処理を施す画像処理手段を備え、
前記画像処理手段は、
前記設定変更手段により動画撮影用の設定が変更された場合は、設定変更後に前記撮像手段から出力された動画データに該変更された設定で画像処理を施し、
前記記録制御手段は、
前記画像処理手段により画像処理が施された動画データを前記記録手段に記録することを特徴する請求項１０記載の撮影装置。
【請求項１２】
前記記録制御手段は、
前記画像処理手段により画像処理が施された動画データと、前記画像処理手段により画像処理が施されていない動画データとの両方を前記記録手段に記録することを特徴する請求項１１記載の撮影装置。
【請求項１３】
前記設定変更手段により設定が変更されたか否かを判別する判別手段を備え、
前記画像処理手段は、
前記判別手段により設定が変更されたと判別された場合は、設定変更後に前記撮像手段から出力された動画データに対して、変更された設定での画像処理と、変更前の設定での画像処理をそれぞれ施し、
前記記録制御手段は、
前記変更された設定での画像処理が施された画像データと、前記変更前の設定での画像処理が施された動画データとの両方を前記記録手段に記録することを特徴とする請求項１１記載の撮影装置。
【請求項１４】
前記記録制御手段は、
前記設定変更手段により変更された設定を反映させない動画データ、及び前記設定変更手段により変更された設定変更情報を前記記録手段に記録することを特徴とする請求項１０記載の撮影装置。
【請求項１５】
被写体を撮像し、動画データを出力する撮像手段と、
前記撮像手段から出力された画像処理が施されていない動画データを記録手段に記録する記録制御手段と、
を備え、
前記記録制御手段は、
前記撮像手段から出力された画像処理が施されていない動画データを記録するとともに、該動画データを撮影したときの動画撮影用の設定情報を前記記録手段に記録することを特徴とする撮影装置。
【請求項１６】
被写体を撮像し、動画データを出力する撮像手段と、
前記撮像手段から出力された動画データを記録手段に記録する記録制御手段と、
前記記録制御手段により動画データが前記記録手段に記録されている最中か否かに拘わらず、ユーザが動画撮影用の撮影条件の設定又は変更をすることができる設定変更手段と、
を備え、
前記記録制御手段は、
前記撮像手段から出力される動画データを、少なくとも前記設定変更手段により設定又は変更された現在の動画撮影用の撮影条件で前記記録手段に記録することを特徴とする撮影装置。
【請求項１７】
被写体を撮像し、動画データを出力する撮像処理と、
この撮像処理から出力された動画データを記録媒体に記録する記録処理と、
この記録処理により動画データが前記記録媒体に記録されているときに、前記撮像処理から出力された動画データを表示部に表示させる表示処理と、
前記記録処理により動画データが前記記録媒体に記録されているときに、撮影装置の設定を変更させるためのメニュー画面を前記表示部に表示させるメニュー表示処理と、
このメニュー表示処理により前記表示部に表示されたメニュー画面にしたがって、ユーザが撮影装置の設定を変更する処理と、
を含み、上記各処理を撮影装置で実行させることを特徴とするプログラム。
【発明の詳細な説明】
【技術分野】
【０００１】
本発明は、撮影装置及びそのプログラムに係り、詳しくは、動画撮影中に撮影条件などの設定変更を行う際の使い勝手を向上させることができる撮影装置及びそのプログラムに関する。
【背景技術】
【０００２】
近年、技術の進歩により動画撮影を行うことができるデジタルカメラが登場してきている。
また、ユーザは、ホワイトバランス等の撮影条件を設定して、静止画撮影や動画撮影を行うことにより、ユーザが所望する静止画や動画を撮影することができる。
【０００３】
また、下記特許公開公報には、デジタルカメラなる発明が開示されている。詳しくは、動画撮影中において画質を変更させるための指令を入力する入力部、及び動画撮影中において入力部からの指令に基づいて、画像の圧縮率を変更させる手段を備えることにより、撮影を中断することなく、画質の変更をすることができるデジタルカメラなるものが記載されている。
【０００４】
【特許文献１】公開特許公報  特開２０００−２７０２５１（段落「００２０」〜段落「００３９」参照）
【発明の開示】
【発明が解決しようとする課題】
【０００５】
しかしながら、従来のデジタルカメラ等にあっては、動画撮影中には、ホワイトバランス等の撮影条件の設定を変更することができなかったため、動画撮影中に撮影条件の設定を変更したいとユーザが思っても撮影条件の設定変更を諦めるしかなかった。
また、どうしても撮影条件の変更をしたい場合には、一度動画撮影を中止し、撮影条件の設定を変更してから動画撮影を行わなければならなかった。
【０００６】
また、上記した特許文献記載の技術によれば、入力部を操作することにより、動画撮影中であっても画質の変更を行うことはできるが、ホワイトバランスや露出、感度等の複数の撮影条件を変えたい場合には、それぞれの撮影条件に対応した複数の入力部を備えなければならず、軽量化、小型化が進んでいるデジタルカメラでは対応しきれないという問題点がある。また、仮にそれぞれの撮影条件毎に入力部を備えても、どの入力部がどの撮影条件を変更させるボタンやキーなのかをユーザはわざわざ記憶しなければならなくなり、使い勝手が悪くなり、面倒であるという問題点もある。更に、一端画質の変更を行なうと、後で変更した画質が気に入らない場合であっても変更前の画質に戻すことができないという問題点もあった。
【０００７】
そこで本発明は、かかる従来の問題点に鑑みてなされたものであり、軽量化、小型化を保ちつつ撮影条件などの設定を動画撮影中に簡単に変更することができたり、一度変更した設定を後でキャンセルすることができることにより、動画撮影中に撮影条件などの設定変更を行う際の使い勝手を向上させることができる撮影装置及びそのプログラムを提供することを目的とする。
【課題を解決するための手段】
【０００８】
上記目的達成のため、請求項１記載の発明による撮影装置は、被写体を撮像し、動画データを出力する撮像手段と、
前記撮像手段から出力された動画データを記録手段に記録する記録制御手段と、
この記録制御手段により動画データが前記記録手段に記録されているときに、前記撮像手段から出力された動画データを表示手段に表示させる表示制御手段と、
前記記録制御手段により動画データが前記記録手段に記録されているときに、撮影装置の設定を変更させるためのメニュー画面を前記表示手段に表示させるメニュー表示制御手段と、
このメニュー表示制御手段により前記表示手段に表示されたメニュー画面にしたがって、ユーザが撮影装置の設定を変更するための設定変更手段と、
を備えたことを特徴とする。
【０００９】
また、例えば、請求項２に記載されているように、ユーザが前記記録制御手段により前記撮像手段から出力された動画データが前記記録手段に記録している最中にメニュー画面を前記表示手段に表示させるために操作するメニュー表示指示手段を備え、
前記メニュー表示制御手段は、
ユーザによって前記メニュー表示指示手段が操作された場合に、撮影装置の設定を変更させるためのメニュー画面を前記表示手段に表示させるようにしてもよい。
【００１０】
また、例えば、請求項３に記載されているように、前記メニュー表示制御手段は、
前記表示制御手段により前記表示手段に表示される動画データと同時に、前記メニュー画面を前記表示手段に表示させる手段を含むようにしてもよい。
【００１１】
また、例えば、請求項４に記載されているように、前記記録制御手段は、
前記表示制御手段及びメニュー表示制御手段により前記表示手段に表示される動画データ及びメニュー画面のうち動画データを前記記録手段に記録し、メニュー画面の前記記録手段への記録を禁止する手段を含むようにしてもよい。
【００１２】
また、例えば、請求項５に記載されているように、ユーザが第１のモード及び第２のモードのいずれかを選択するための選択手段を備え、
前記記録制御手段は、
前記選択手段により第１のモードが選択された場合、前記メニュー表示制御手段により前記表示手段に表示されたメニュー画面に係るデータの前記記録手段への記録を禁止する手段を含むようにしてもよい。
【００１３】
また、例えば、請求項６に記載されているように、前記記録制御手段は、
前記選択手段により第２のモードが選択された場合、前記撮像手段から出力された動画データ、及び、前記メニュー表示制御手段により前記表示手段に表示されたメニュー画面に係るデータを前記記録手段に記録するようにしてもよい。
【００１４】
また、例えば、請求項７に記載されているように、前記記録制御手段は、
前記撮像手段から出力された動画データと、前記メニューに係るデータとを関連付けて前記記録手段に記録するようにしてもよい。
また、例えば、請求項８に記載されているように、前記記録制御手段は、
前記撮像手段から出力された動画データと、前記メニュー画面の画像データとを合成し、１つの動画データとして前記記録手段に記録するようにしてもよい。
【００１５】
また、例えば、請求項９に記載されているように、前記撮影装置の設定を変更させるためのメニュー画面は、
動画撮影用の設定を変更させるためのメニュー画面であり、
前記設定変更手段は、
前記メニュー表示制御手段により前記表示手段に表示されたメニュー画面にしたがって、ユーザが動画撮影用の設定を変更する手段を含むようにしてもよい。
【００１６】
また、例えば、請求項１０に記載されているように、前記記録制御手段は、
前記設定変更手段により動画撮影用の設定が変更された場合は、該変更された設定で前記動画データを前記記録手段に記録するようにしてもよい。
【００１７】
また、例えば、請求項１１に記載されているように、前記撮像手段から出力された動画データに画像処理を施す画像処理手段を備え、
前記画像処理手段は、
前記設定変更手段により動画撮影用の設定が変更された場合は、設定変更後に前記撮像手段から出力された動画データに該変更された設定で画像処理を施し、
前記記録制御手段は、
前記画像処理手段により画像処理が施された動画データを前記記録手段に記録するようにしてもよい。
【００１８】
また、例えば、請求項１２に記載されているように、前記記録制御手段は、
前記画像処理手段により画像処理が施された動画データと、前記画像処理手段により画像処理が施されていない動画データとの両方を前記記録手段に記録するようにしてもよい。
【００１９】
また、例えば、請求項１３に記載されているように、前記設定変更手段により設定が変更されたか否かを判別する判別手段を備え、
前記画像処理手段は、
前記判別手段により設定が変更されたと判別された場合は、設定変更後に前記撮像手段から出力された動画データに対して、変更された設定での画像処理と、変更前の設定での画像処理をそれぞれ施し、
前記記録制御手段は、
前記変更された設定での画像処理が施された画像データと、前記変更前の設定での画像処理が施された動画データとの両方を前記記録手段に記録するようにしてもよい。
【００２０】
また、例えば、請求項１４に記載されているように、前記記録制御手段は、
前記設定変更手段により変更された設定を反映させない動画データ、及び前記設定変更手段により変更された設定変更情報を前記記録手段に記録するようにしてもよい。
【００２１】
上記目的達成のため、請求項１５記載の発明による撮影装置は、被写体を撮像し、動画データを出力する撮像手段と、
前記撮像手段から出力された画像処理が施されていない動画データを記録手段に記録する記録制御手段と、
を備え、
前記記録制御手段は、
前記撮像手段から出力された画像処理が施されていない動画データを記録するとともに、該動画データを撮影したときの動画撮影用の設定情報を前記記録手段に記録することを特徴とする。
【００２２】
上記目的達成のため、請求項１６記載の発明による撮影装置は、被写体を撮像し、動画データを出力する撮像手段と、
前記撮像手段から出力された動画データを記録手段に記録する記録制御手段と、
前記記録制御手段により動画データが前記記録手段に記録されている最中か否かに拘わらず、ユーザが動画撮影用の撮影条件の設定又は変更をすることができる設定変更手段と、
を備え、
前記記録制御手段は、
前記撮像手段から出力される動画データを、少なくとも前記設定変更手段により設定又は変更された現在の動画撮影用の撮影条件で前記記録手段に記録することを特徴とする。
【００２３】
上記目的達成のため、請求項１７記載の発明によるプログラムは、被写体を撮像し、動画データを出力する撮像処理と、
この撮像処理から出力された動画データを記録媒体に記録する記録処理と、
この記録処理により動画データが前記記録媒体に記録されているときに、前記撮像処理から出力された動画データを表示部に表示させる表示処理と、
前記記録処理により動画データが前記記録媒体に記録されているときに、撮影装置の設定を変更させるためのメニュー画面を前記表示部に表示させるメニュー表示処理と、
このメニュー表示処理により前記表示部に表示されたメニュー画面にしたがって、ユーザが撮影装置の設定を変更する処理と、
を含み、上記各処理を撮影装置で実行させることを特徴とする。
【発明の効果】
【００２４】
請求項１記載の発明によれば、撮像手段から出力された動画データが記録手段に記録されているときにも、メニュー画面を表示手段に表示させるメニュー表示制御手段と、該表示されたメニュー画面にしたがって、ユーザが撮影装置の設定を変更するための設定変更手段と、を備えたので、撮影装置の軽量化、小型化を保ちつつ、撮影装置の設定を簡単に変更することができる。
【００２５】
請求項２記載の発明によれば、ユーザがメニューを表示手段に表示させるためのメニュー表示指示手段を備え、メニュー表示制御手段は、メニュー表示指示手段がユーザによって操作された場合に、設定を変更させるためのメニューを表示手段に表示させるようにしたので、ユーザがメニューを表示したいと思うときは、動画撮影中であっても、メニューを表示させることができ、設定を変更することができる。
【００２６】
請求項３記載の発明によれば、メニュー表示制御手段は、表示手段に表示させる動画データの動画と同時にメニュー画面を該表示手段に表示させる手段を備えたので、ユーザは、撮影している動画を見ながら、撮影装置の設定を変更することができる。
【００２７】
請求項４記載の発明によれば、記録制御手段は、表示手段に表示される動画データ及びメニュー画面のうち動画データのみを記録手段に記録し、メニュー画面の前記記録手段への記録を禁止する手段を含むので、動画再生時に絶えず、動画とともにメニュー画面が表示されることによりユーザの感じる煩わしさを回避することができる。
【００２８】
請求項５又は６記載の発明によれば、ユーザが第１のモードか第２のモードかを選択するための選択手段を備え、記録制御手段は、第１のモードに選択された場合は、撮影手段により撮影された動画データを記録し、第２のモードに選択された場合は、撮像手段から出力された動画データ及び表示手段に表示されたメニューの画像データを記録するようにしたので、ユーザは表示されたメニューを動画データと一緒に記録するか否かを判断することができる。
また、第２のモードで動画撮影をした場合には、メニューの画像データも一緒に記録されるので、動画データの再生時には、撮影した動画とともに、メニューも表示されるので、何処の場面でどのように撮影条件を変更させたのかが一目瞭然となる。
また、第１のモードで動画撮影をした場合には、撮像手段により撮像された動画データのみを記録するので、動画の再生時に絶えずメニューを動画とともに表示させることによるユーザの感じる煩わしさを回避することができる。
【００２９】
請求項７記載の発明によれば、記録制御手段は、撮像手段から出力された動画データと、表示手段に表示されたメニューの画像データを関連付けて記録するので、動画再生時にメニュー画像を動画とともに再生するか否かの選択することができ、動画再生時に絶えずメニューを表示させることによるユーザの感じる煩わしさを回避することができる。
【００３０】
請求項８記載の発明によれば、記録制御手段は、撮像手段から出力された動画データと、表示手段に表示されたメニューの画像データとを合成して１つの動画データを記録するので、動画再生時の処理の負担を軽減することができる。
【００３１】
請求項９記載の発明によれば、設定を変更させるためのメニューは、動画撮影用の設定を変更させるためのメニューであり、設定変更手段は、ユーザが動画撮影用の設定を変更させる手段を含むので、動画撮影時において動画撮影用の設定を変更することができる。
【００３２】
請求項１０記載の発明によれば、ユーザが設定を変更させるための変更手段を備え、記録制御手段は、前記変更手段によって設定が変更された場合は、変更された設定で撮像手段により撮像された動画データを記録するので、動画撮影を中断することなく、設定を変更するので、設定の異なる１連の動画を記録することができる。
また、撮影した動画データを記録中に現在の設定が撮影状況に適していない場合であっても、現在の撮影状況に適した撮影条件に設定変更することができ、ユーザは所望の動画を得ることができる。
【００３３】
請求項１１記載の発明によれば、撮像手段から出力された動画データに画像処理を施す画像処理手段を備え、画像処理手段は、設定が変更された場合は、設定変更後に撮像手段から出力された画像データに該変更された設定で画像処理を施して記録するので、ユーザが所望する設定の動画を得ることができる。
また、設定の異なる一連の動画データを得ることができ、再生時には、設定変更前後にわたる設定の効果の違いを確認することができる。
【００３４】
請求項１２記載の発明によれば、前記記録制御手段は、画像処理が施された画像データと、画像処理が施されていない画像データとの両方を記録するので、後で、気が変わってもユーザが所望する撮影条件となるような画像データを得ることができる。
【００３５】
請求項１３記載の発明によれば、設定変更手段により設定変更がされたか否かを判別する判別手段を備え、画像処理手段は、判別手段により設定変更がされたと判別された場合は、設定変更後に撮像手段により撮像された動画データに対して、変更された設定での画像処理と、変更前の設定での画像処理をそれぞれ施し、該設定変更前後の設定で画像処理が施された２つの動画データを記録するので、再生時において、設定変更された動画データと、設定変更されていない動画データを見比べることにより、設定変更の効果の違いを確認することができ、どのように変更すればどのように画像が表示されるのかを学習することができ、今後の撮影条件の設定に際し、撮影状況、作画意図等に応じて適切な撮影条件を設定することができる。
また、設定変更されていない動画データを記録するので、設定変更が失敗した場合でも、ユーザは安心することができる。
【００３６】
請求項１４記載の発明によれば、記録制御手段は、設定手段により変更された設定を反映させない動画データ及び前記設定変更手段により変更された設定変更情報を記録手段に記録するので、記録後に気が変わっても、撮影中に変更された設定と異なる設定をすることができる。
【００３７】
請求項１５記載の発明によれば、前記撮像手段により撮像された画像処理が施されていない動画データと、該動画データを撮影したときの動画撮影用の設定情報とを記録手段に記録するので、記録後に気が変わっても、撮影開始時、撮影中の変更時の設定と異なる設定をすることができる。また、撮像手段により撮像された動画データの記録中には、画像処理をしなくて済むので、動画データの記録時の負荷を軽減することができる。
【００３８】
請求項１６記載の発明によれば、記録制御手段により動画データが記録手段に記録されている最中か否かに拘わりなく、ユーザが動画撮影用の撮影条件の設定又は変更をすることができる設定変更手段を備え、該記録制御手段は、撮像手段から出力される動画データを、少なくとも前記設定変更手段により設定又は変更された現在の動画撮影用の撮影条件で前記記録手段に記録するので、動画撮影を中断することなく、設定を変更するので、設定の異なる１連の動画を記録することができる。
また、撮影した動画データを記録中に現在の設定が撮影状況に適していない場合であっても、現在の撮影状況に適した撮影条件に設定変更することができ、ユーザは所望の動画を得ることができる。
【００３９】
請求項１７記載の発明によれば、既存のデジタルカメラ、パソコン等に読み込ませることにより、本発明の撮影装置を実現することができる。
【発明を実施するための最良の形態】
【００４０】
以下、本実施の形態について、図面を参照して詳細に説明する。
[実施の形態]
Ａ．デジタルカメラの構成
図１は、本発明の撮影装置を実現するデジタルカメラ１の電気的な概略構成を示すブロック図である。
デジタルカメラ１は、フォーカスレンズ２、ズームレンズ３、ＣＣＤ４、ユニット回路５、ＴＧ(Timing Generator)６、ＤＲＡＭ７、ＲＯＭ８、ＣＰＵ９、画像表示部１０、フラッシュメモリ１１、カード・インターフェース１２、モータ駆動ブロック１４、及び、キー入力部１５を備えており、カード・インターフェース１２には、カメラ本体のカードスロット（図示省略）に着脱自在に装着されたメモリ・カード１３が接続されている。
【００４１】
フォーカスレンズ２及びズームレンズ３はそれぞれ図示しないレンズ群から構成されるものである。モータ駆動ブロック１４は、フォーカスレンズ２、ズームレンズ３を光軸方向に駆動するフォーカスモータ及びズームモータと、ＣＰＵ９からの制御信号に従いフォーカスモータ及びズームモータをそれぞれ駆動するドライバと、から構成されている。
【００４２】
ＣＣＤ４（撮像手段）は、フォーカスレンズ２とズームレンズ３を介して投影された被写体の光を光電変換し、撮像信号としてユニット回路５に出力する。また、ＣＣＤ４は、ＴＧ６によって生成された所定周波数のタイミング信号によって駆動される。ＴＧ６にはユニット回路５が接続されている。ユニット回路５は、ＣＣＤ４から出力される撮像信号を相関二重サンプリングして保持するＣＤＳ(Correlated Double Sampling)回路、その撮像信号を増幅するゲイン調整アンプ（ＡＧＣ）、増幅後の撮像信号をデジタル信号に変換するＡＤ変換器（ＡＤ）から構成されており、ＣＣＤ４の出力信号はユニット回路５を経てデジタル信号としてＣＰＵ９に送られる。
【００４３】
ＣＰＵ９は、動画データの画像処理（画素補間処理、γ補正処理、輝度色差信号の生成、ホワイトバランス処理等）、動画データの圧縮・伸張（例えば、ＪＰＥＧ、ＭＰＥＧ形式の圧縮・伸張）の処理などを行う機能を有するとともにデジタルカメラ１の各部を制御するワンチップマイコンである。
【００４４】
画像表示部１０は、カラーＬＣＤとその駆動回路を含み、デジタルカメラ１が撮影待機状態にあるときにはＣＣＤ４によって撮像された被写体画像をスルー画像として表示し、記録画像の再生時には保存用フラッシュメモリ１１やメモリ・カード１３から読み出され伸張された記録画像（静止画／動画）を表示する。画像表示部１０は、本発明の表示手段に相当する。
キー入力部１５は、モードキー、シャッタボタン、メニューキー、ＳＥＴキー、カーソルキー（↑、↓、←、→）、キャンセルキー等の複数の操作キーを含み、ユーザのキー操作に対応した操作信号をＣＰＵ９に出力する。このキー入力部１５は、本発明のメニュー表示指示手段、設定変更手段、選択手段に相当する。
【００４５】
ＤＲＡＭ７は、ＣＣＤ４により撮像された後、デジタル化された被写体の動画データを一時記憶するバッファメモリとして使用されるとともに、ＣＰＵ９のワーキングメモリとしても使用される。ＲＯＭ８にはＣＰＵ９によるデジタルカメ１の各部（モータ駆動ブロック１４、画像表示部１０等）の制御に必要なプログラム、及び各部の制御に必要なデータが記録され、ＣＰＵ９は上記プログラムに従うことにより本発明の撮影装置として機能する。
フラッシュメモリ１１、メモリ・カード１３は、撮影した動画データ等を保存するための記録媒体（記録手段）である。本実施例では、撮影した動画データはフラッシュメモリ１１に記録されるようにしているが、ユーザのキー入力部１５の操作により、メモリ・カード１３に動画データ等を記録することもできる。
【００４６】
Ｂ．以下、本実施の形態におけるデジタルカメラ１の特徴となるそれぞれの構成の機能について説明する。
ＣＰＵ９は、ユーザのキー入力部１５のモードキーの操作により、動画撮影モード設定に対応する操作信号が送られてくると、ＣＣＤ４によって撮像された被写体の動画データに画像処理（画素補間処理、ホワイトバランス処理等）を施して、バッファメモリ（ＤＲＡＭ７）に記憶し、該記憶した動画データを画像表示部１０に表示させるという、いわゆるスルー画像表示を行なう。
【００４７】
そして、ＣＰＵ９は、キー入力部１５からシャッタボタン押下に対応する操作信号が送られてきたと判断すると、動画撮影記録処理を開始する。
動画撮影記録処理とは、バッファメモリに記憶された動画データを圧縮して、フラッシュメモリ１１に記録する処理のことをいう(記録制御手段)。このとき、動画撮影記録処理により撮影されている画像（撮影画像）を画像表示部１０に表示させる（表示制御手段）。
【００４８】
ＣＰＵ９は、動画撮影記録処理を開始すると、キー入力部１５からメニューキーに対応する操作信号が送られてきたか否かを判断し、送られてきたと判断すると、画像表示部１０に撮影画像とともにメニュー（現在の撮影条件や、撮影条件を変更させるための情報など）を表示させる（メニュー表示制御手段）。
このとき、ユーザは画像表示部１０に表示されたメニュー表示にしたがって、キー入力部９を操作することによりいろいろな設定の変更（設定変更）を行うことができる（例えば、撮影条件の設定変更）。この撮影条件の設定変更の詳細については後述する。
【００４９】
そして、ＣＰＵ９は、撮影条件の設定の変更を行うか否かを判別する（判別手段）。この判別はキー入力部１５から撮影条件の設定の変更を行う旨の操作信号が送られてきたか否かにより判別する。
そして、ＣＰＵ９は、撮影条件の設定の変更を行うと判別すると、ユーザによって変更された撮影条件にしたがって撮影条件の設定変更を行う。つまり、ＣＰＵ９は、撮影条件の設定の変更を行う旨の操作信号がキー入力部１５から送られてくると、その後にＣＣＤ４によって撮像された動画データに、該設定変更された撮影条件となるように画像処理を施し、フラッシュメモリ１１に記録する（記録制御手段）。
ここで、動画撮影記録処理によってフラッシュメモリ１１に記録される動画データの撮影条件は、撮影条件の設定変更前後で異なることになる。
【００５０】
また、ＣＰＵ９は、キー入力部９からキャンセルキーに対応する操作信号が送られてきたか否かを判断し、送られてきた場合にはメニューの表示を終了させる。
ＣＰＵ９は、キー入力部９から動画撮影を終了する旨の操作信号（シャッタボタン押下に対応する操作信号）が送られてくるまで上記した動作を行い、動画撮影を終了する旨の操作信号が送られてくると動画撮影記録処理を終了する。つまり、ＣＣＤ４により撮像されバッファメモリに記憶される動画データをフラッシュメモリ１１に記録する処理を中止させる。
【００５１】
Ｃ．デジタルカメラ１の動作
第１の実施の形態におけるデジタルカメラ１の動作を図２及び図３のフローチャートにしたがって説明する。
ユーザのキー入力部１５のモードキーの操作により動画撮影モードに設定されると、ステップＳ１で、ＣＣＤ４による撮像を開始して、被写体のスルー画像を画像表示部１０に表示させる。このとき、画像表示部１０に表示される画像は、ＣＰＵ９によって画像処理が施され、バッファメモリに記憶された動画データの画像が表示される。
【００５２】
次いで、ステップＳ２で、動画撮影を行うか否かを判断する。この判断は、ＣＰＵ９がキー入力部１５からシャッタボタンの押下に対応する操作信号を受け取ったか否かにより判断する。ＣＰＵ９がキー入力部１５からシャッタボタン押下に対応する操作信号を受け取った場合は動画撮影を行うと判断する。
ステップＳ２で、動画撮影を行わないと判断すると、動画撮影を行うと判断するまでステップＳ２に留まり、動画撮影を行うと判断すると、ステップＳ３に進み、動画撮影記録処理を開始する。
【００５３】
動画撮影記録処理とは、ＣＣＤ４により所定のフレームレート（１／３０秒の固定周期）で撮像された動画データをフラッシュメモリ１１に記録する処理のことをいう。このとき、ＣＣＤ４により撮像された動画データは、ＣＰＵ９によって画像処理（画素補間処理など）、圧縮の処理が行われてフラッシュメモリ１１に記録される。また、画像表示部１０には、ＣＣＤ４によって撮像された画像が表示されるので、動画撮影記録処理によって記録されている画像が画像表示部１０に表示されることとなる。
【００５４】
次いで、ステップＳ４に進み、メニュー表示を行なうか否かを判断する。この判断は、ユーザのキー入力部１５のメニューキーの操作に対応する操作信号がＣＰＵ９に送られてきたか否かにより判断する。ユーザは動画撮影中であっても、撮影条件などを変更させるためにメニューを表示させたい場合もあるからである。
ステップＳ４で、メニュー表示を行なわないと判断すると、ステップＳ１０に進み、メニュー表示を行なうと判断すると、ステップＳ５に進み、画像表示部１０に動画撮影記録処理を行っている被写体の画像とともにメニューを表示させる。
【００５５】
ここで、メニュー表示が行われる直前には、図４（ａ）に示すような画像が表示されていたものとする。図４（ａ）に表示されている画像は、現在動画撮影している被写体（スキーをしている人）の画像である。
そして、メニュー表示が行われると、図４（ｂ）に示すような画像が表示される。図４（ｂ）を見てわかるとおり、画像表示部１０には、現在撮影している被写体（スキーをしている人）の画像の前面に、メニュー（ここでは、動画撮影の撮影条件を変更するためのメニューに限定する）が表示されている。
【００５６】
メニュー表示の内容としては、ホワイトバランス、画質、ＥＶシフト等の撮影条件が表示されており、現在は、ホワイトバランス：「オート」、画質：「標準」、ＥＶシフト：「０．０」、シャープネス：「標準」、コントラスト：「標準」、フィルター：「標準」であることがわかる。また、現在は動画撮影中なので、メニュー表示により撮影している被写体が隠れないように、メニューが透けるように表示している。
また、現在はホワイトバランスの項目欄が黒く表示されているが、これは、現在ホワイトバランスが選択されている状態を示している。つまり、撮影条件を変更したい項目欄としてホワイトバランスが選択されていることになる。
【００５７】
ここで、ユーザがキー入力部１５のカーソルキーの「↓」の操作をしていくと、選択される項目が「ホワイトバランス」→「画質」→「ＥＶシフト」→「シャープネス」というように順次切り替わる。また、カーソルキーの「↑」を操作していくと、選択される項目が「↓」とは逆の順序で切り替わる。
このように、ユーザはカーソルキーの「↑」及び「↓」を操作することにより、撮影条件を変更したい項目欄を選択することができる。
そして、撮影条件を変更したい項目欄が選択されている状態で、ユーザがカーソルキーの「→」を操作すると、該選択した項目欄を変更することができる状態に画面が切り替わる。例えば、ホワイトバランスが選択されている状態で、ユーザがカーソルキーの「→」を操作すると、ホワイトバランスを変更することができる状態に切り替わる。
【００５８】
図５（ａ）は、ホワイトバランスを変更することができる状態に切り替わったときの、画像表示部１０に表示される画像の様子を示したものである。ホワイトバランスの項目欄の右に、「オート」、「太陽光」、「日陰」、「電球」、「蛍光等」という項目欄が表示される。「オート」とは自動的に白が白と写るようにホワイトバランスを調整することであり、「太陽光」とは太陽光の下で撮影したときに白が白に写るようにホワイトバランスを調整することであり、「日陰」とは日陰で撮影したときに白が白に写るようにホワイトバランスを調整することであり、「電球」、「蛍光灯」についても同様である。
現在のホワイトバランスの設定は「オート」なので、「オート」が選択されている状態となっている（「オート」の項目欄が黒くなっている状態）。
【００５９】
ここで、ユーザがキー入力部１５のカーソルキーの「↓」を操作していくと、選択される項目欄が「オート」→「太陽光」→「日陰」→「電球」というように順次切り替わる。このとき、ホワイトバランスを変更させる度に（選択される項目欄が変わる度に）、変更されたホワイトバランスの条件で、撮影画像を画像表示部１０に表示させる。これにより、ユーザが画像表示部１０に表示される画像を見ながら自分好みのホワイトバランスを設定することもできるからである。ここで注意しなければならないのは、ホワイトバランスの条件を変更させる度に画像表示部１０に表示される画像のホワイトバランスも変わるが、フラッシュメモリ１１に記録されている撮影画像のホワイトバランスは変わらない。フラッシュメモリ１１に記録されている撮影画像のホワイトバランスが変わるのは、ユーザが最終的に撮影条件の設定の変更を決定させたときである。つまり、ユーザがカーソルキーの「↑」、「↓」を操作することにより、あるホワイトバランスの条件を選択した状態で、ＳＥＴキーの操作を行ったときである。
【００６０】
ここでは、例えば、現在の撮影状況が太陽光下での撮影なので、ユーザがカーソルの「↓」を操作することにより太陽光を選択したものとする。図５（ｂ）は、そのときの様子を示したものである。
そして、ユーザが「太陽光」を選択した状態で、ＳＥＴキーの操作を行うと、ホワイトバランスの設定を「オート」から「太陽光」に変更して（設定変更）、ここで初めて、該設定変更された撮影条件で画像処理が施された動画データがフラッシュメモリ１１に記録されていく。つまり、設定変更前（ＳＥＴキーの操作前）は、ホワイトバランスが「オート」の動画データがフラッシュメモリ１１に記録されるが、設定変更後（ＳＥＴキーの操作後）は、ホワイトバランスが「太陽光」の動画データがフラッシュメモリ１１に記録されることとなる。
【００６１】
また、図４（ｂ）に示す状態でユーザがカーソルキーの「↓」を操作していくことにより、ＥＶシフトを選択し、カーソルキーの「→」を操作すると、図６（ａ）に示すようにＥＶを変更することができる状態に切り替わる。つまり、露出の補正を変更することができる状態に切り替わる。
ＥＶシフトの項目欄の右側に、「±０．０」と表示されているのがわかる。「±０．０」となっているのは、現在の露出補正が「±０．０」、つまり、露出補正がされていない状態であるからである。
【００６２】
そして、ユーザがカーソルキーの「↑」を操作すると、図６（ｂ）に示すように、露出補正の値が「＋１．０」と表示される。そして、更に「↑」を操作していくと、露出補正の値が「＋２．０」→「＋３．０」というように上がっていく（変わっていく）。また、カーソルキーの「↓」を操作すると、「↑」とは逆に下がっていく。例えば、現在が「±０．０」の場合に、カーソルキーの「↓」を操作していくと、「±０．０」→「−１．０」→「−２．０」というように下がっていく（変わっていく）。
【００６３】
ここでも、上述したように、露出補正の値を変えていく度に、変更された露出補正の値で、撮影画像を画像表示部１０に表示させるが、フラッシュメモリ１１に記録される撮影画像の露出補正の値は変わらない。例えば、図６（ｂ）に示すように、露出補正の値を「＋１．０」と変更させた状態で、ユーザがＳＥＴキーの操作を行うと、露出補正の値を「±０．０」から「＋１．０」に設定変更し、ここで初めて、該設定変更された撮影条件で画像処理が施された動画データがフラッシュメモリ１１に記録されていく。つまり、設定変更前（ＳＥＴキーの操作前）は、露出補正の値が「±０．０」の動画データが記録されるが、設定変更後（ＳＥＴキーの操作後）は、露出補正の値が「＋１．０」の動画データが記録されることとなる。
【００６４】
また、図４（ｂ）に示す状態でユーザがカーソルキーの「↓」を操作していくことにより、シャープネスを選択し、カーソルキーの「→」を操作すると、図７（ａ）に示すようにシャープネスを変更することができる状態に切り替わる。ここでは、シャープネスを「標準」、「ハード」、「ソフト」の３段階に変更することができる。
【００６５】
また、図４（ｂ）に示す状態でユーザがカーソルキーの「↓」を操作していくことにより、フィルターを選択し、カーソルキーの「→」を操作すると、図７（ｂ）に示すようにフィルターを変更することができる状態に切り替わる。ここでは、フィルターを「標準」、「白黒」、「セピア」、「赤」、「紫」の５種類に設定変更することができる。「白黒」とは撮影画像が白黒となるように画像処理を施し、「セピア」とは撮影画像がセピア色となるように画像処理を施し、「赤」とは撮影画像が赤色を基調とした画像となるように画像処理を施し、「紫」とは撮影画像が紫色を基調とした画像となるように画像処理を施すことをいう。
【００６６】
また、ユーザが撮影条件を変更することができる状態で、つまり、図５（ｂ）や図６（ｂ）に示すような状態でＳＥＴキーの操作を行うと、撮影条件の設定変更を行い、図４（ｂ）に示すような画像が画像表示部１０に表示される。
また、ユーザが撮影条件を変更することができる状態、つまり、図５や図６、図７に示すような状態でＳＥＴキーの操作を行わずに、カーソルキーの「←」を操作した場合は、撮影条件の設定変更を行わずに、図４（ｂ）に示すような画像が画像表示部１０に表示される。
【００６７】
また、図４（ｂ）又は図５や図６、図７に示すような画像が表示されている状態でユーザがキャンセルキーを操作すると、図４（ａ）に示すように被写体の画像のみが画像表示部１０に表示される。
なお、動画撮影なので、図４〜図７に示す被写体（スキーをしている人）の姿容、大きさ、姿勢が同一ということは稀であるが、ここでは、便宜上図４〜図７に示す被写体の姿容、大きさ、姿勢は同一としている。
【００６８】
図２のフローチャートに戻り、ステップＳ５で、メニュー表示を行なうと、ステップＳ６に進み、撮影条件の設定変更を行うか否かを判断する。この判断は、上述したようにユーザのキー入力部１５のＳＥＴキーの操作に対応する操作信号がＣＰＵ９に送られてきたか否かにより判断する。例えば、図５（ｂ）に示すようにホワイトバランスの「太陽光」の項目欄が選択されている状態でＳＥＴキーが押された場合は、撮影条件の設定変更があったと判断する。
【００６９】
ステップＳ６で撮影条件の設定変更を行わないと判断した場合、つまり、キー入力部１５からＳＥＴキーの操作に対応する操作信号がＣＰＵ９に送られてきていない場合は、図３のステップＳ７に進み、メニュー表示を終了させるか否かを判断する。この判断は、上述したように、ユーザのキャンセルキーの操作に対応する操作信号がＣＰＵ９に送られてきたか否かにより判断する。
ステップＳ７で、メニュー表示を終了させると判断すると、ステップＳ８に進み、画像表示部１０へのメニューの表示を中止させてから、図２のステップＳ１０に進み、メニュー表示を終了させないと判断すると、そのまま図２のステップＳ１０に進む。
【００７０】
一方、ステップＳ６で、撮影条件の変更を行うと判断した場合は、ステップＳ９に進み、撮影条件の設定変更を行なってからステップＳ１０に進む。つまり、設定変更後にフラッシュメモリ１１に記録される動画データは、設定変更された撮影条件となるように画像処理が施された動画データとなる。例えば、ホワイトバランスの「太陽光」の項目欄が選択されていた場合には、太陽光下で白が白に写るようにホワイトバランスの画像処理が行われた動画データが記録されることとなる。
【００７１】
図８（ａ）は、撮影条件の設定変更を行ったときのフラッシュメモリ１１に記録される動画データの様子を示すものである。図を見るとわかるように、動画データは、複数のフレームのデータから構成されている。また、ｔは時間軸を表している。白色のフレームは動画撮影処理開始時の撮影条件で撮影されたフレームであることを示しており、斜線で描かれたフレームは、動画撮影記録処理中に設定変更された撮影条件で撮影されたフレームであることを示している。
図８（ａ）の矢印は、撮影条件の設定変更が行われた時点を示しており、図８（ａ）を見てわかるとおり、フラッシュメモリ１１に記録される動画データは、設定変更前後において撮影条件が変わっていることがわかる。
【００７２】
ステップＳ１０に進むと、動画撮影記録処理を終了するか否かを判断する。この判断は、ユーザのキー入力部１５のシャッタボタンの押下に相当する操作信号がＣＰＵ９に送られてきたか否かにより判断する。なお、ここでは、ＣＰＵ９は、シャッタボタンが１回押下されると、動画撮影記録処理を開始し、更に、一回シャッタボタンが押下されると動画撮影記録処理を終了するようにしたが、シャッタボタンが押下されると動画撮影記録処理を開始し、シャッタボタンの押下状態が解除されると動画撮影記録処理を終了するようにしてもよい。また、フラッシュメモリ１１いっぱいに動画データが記録された場合も、動画撮影記録処理を終了すると判断するようにしてもよい。
【００７３】
ステップＳ１０で、動画撮影を終了しないと判断すると、ステップＳ１１に進み、メニュー表示が行なわれているか否かを判断し、メニュー表示が行なわれている場合にはステップＳ６に戻り、メニュー表示が行なわれていない場合はステップＳ４に戻り、上記した動作を繰り返す。
一方、動画撮影記録処理を終了すると判断すると、ステップＳ１２に進み、動画撮影記録処理を終了する。つまり、バッファメモリに記憶されたＣＣＤ４によって撮像された画像データを、フラッシュメモリ１１に記録する処理を終了する。
言うまでもないが、フラッシュメモリ１１に記録される動画データは、ＣＣＤ４により撮像された動画データのみであり、画像表示部１０に表示されたメニューの画像データ（メニューに係るデータ）はフラッシュメモリ１１に記録されない。つまり、画像表示部１０に表示された撮影画像及びメニューのうち、撮影画像の動画データのみをフラッシュメモリ１１に記録し、メニューに係るデータのフラッシュメモリ１１への記録を禁止することとなる。
【００７４】
以上のように、第１の実施の形態においては、動画撮影中であっても、メニュー表示を行なうので、デジタルカメラ１の軽量化、小型化を保ちつつ撮影条件などの設定を動画撮影中に簡単に変更することができる。また、撮影条件の異なる１連の動画を撮影することができるので、再生時においては、例えば、ホワイトバランスの設定変更前後にわたる効果の違いを確認することができる。
【００７５】
なお、上記実施の形態においては、動画撮影用の撮影条件を設定変更させるためのメニューを表示させ、動画撮影用の撮影条件を設定変更するようにしたが、静止画撮影用の撮影条件を設定変更させるためのメニューや、その他の撮影とはまったく関係のないもの（カレンダーなど）を設定変更させるためのメニューなどを表示させ、動画撮影用の撮影条件ではないカメラに設けられている各種機能の設定を変更するようにしてもよい。
【００７６】
［変形例１］
上記実施の形態は以下のような変形例も可能である。
変形例１においては、第１のモード及び第２のモードを設け、ユーザのキー入力部１５のモードキーの操作により第１のモードに設定された場合は、上記実施の形態のように、動画撮影記録処理中にメニュー表示が行なわれても、ＣＣＤ４によって撮像された動画データのみをフラッシュメモリ１１に記録し、ユーザのキー入力部１５のモードキーの操作により第２のモードに設定された場合は、ＣＣＤ４によって撮像された動画データのみならず、画像表示部１０に表示されたメニューの画像データ（メニューに係るデータ）をも記録するようにしてもよい。
つまり、第２のモードにおいては、動画撮影記録処理中に画像表示部１０に表示された画像（被写体の画像及びメニュー表示を行なった場合にはそのメニュー画像）のデータがそのままフラッシュメモリ１１に記録される。
【００７７】
第２のモードにおいては、ＣＣＤ４によって撮像された動画データと、メニュー表示の画像データとを関連付けてフラッシュメモリ１１に記録するようにしてもよいし、動画データとメニュー表示の画像データとを合成して記録するようにしてもよい。
これにより、動画データの再生時には、撮影した画像とともに、メニューも表示されるので、どこの場面でどのように撮影条件を変更させたのかが一目瞭然となる。また、撮影条件の変更前後の画像の変わり具合を見ながら、どのように変更すればどのように画像が表示されるのかを学習することができ、今後の撮影条件の設定に際し、撮影状況、作画意図等に応じて適切な撮影条件を設定することができる。
【００７８】
また、第２のモードにおいて動画データとメニュー表示の画像データとを合成して記録する構成とした場合、メニューの画像データを動画データに合成して記録したくない場合に第１のモードを設定することにより、動画再生時に動画とともにメニューが表示されることによるユーザの感じる煩わしさを回避することができる。また、第２のモードにおいて動画データとメニュー表示の画像データとを関連付けて記録する構成とした場合、メニューの画像データを動画データに関連付けて記録したくない場合に第１のモードを設定することにより、メニューの画像データを記録しない分だけ記録するデータの容量を軽減することができ、フラッシュメモリ１１の容量を有効に活用することができる。
なお、動画データとメニュー表示の画像データとを関連付けて記録した場合には、動画データの再生時の際に、関連付けられて記録されたメニュー表示の画像データも再生するか否かをユーザに判断させるようにしてもよい。
これにより、メニュー表示を行ないたくない場合には、メニューを表示させないので、動画再生時に絶えずメニューを表示させるというユーザの感じる煩わしさを回避することができる。
【００７９】
［変形例２］
上記実施の形態は以下のような変形例も可能である。
上記実施の形態においては、動画撮影記録処理は、ＣＣＤ４によって撮像された動画データをフラッシュメモリ１１に記録するが、このとき、フラッシュメモリ１１に記録される動画データは、設定された撮影条件（動画撮影中に設定変更された撮影条件を含む）に応じた画像処理がされたＣＣＤ４によって撮像された動画データであるが、変形例２においては、ＣＣＤ４によって撮像されたそのままの動画データ、つまり、設定された撮影条件に応じた画像処理が施されていない生動画データ（画像処理や圧縮の処理が行われていない動画データ、例えばＲＡＷデータなど）をそのまま記録するようにする。そして、該記憶した動画データと関連付けて撮影条件の設定情報を記録する。
【００８０】
撮影条件の設定情報とは、どのような撮影条件（ホワイトバランスや露出など）で撮影したかを示す情報のことであり、撮影条件の設定変更が行われると、該変更された時点から撮影条件の設定情報も変わることになる。つまり、撮影条件の設定変更が行われると、設定変更前と設定変変更後の情報が記録される。
そして、動画データの再生時には、該設定変更情報にしたがって、該記録した動画データに画像処理を施し、該施された動画データが画像表示部１０に表示される。
【００８１】
これにより、設定されている撮影条件に応じた画像処理を施さないで動画データを記録するので、記録後に気が変わっても、別の撮影条件となるように画像処理（ホワイトバランスやコントラスト等）を行うことができる。また、動画撮影記録処理中には、設定されている撮影条件に応じた画像処理をしなくて済むので、動画撮影記録処理の負荷を軽減することができる。
【００８２】
［変形例３］
上記実施の形態は以下のような変形例も可能である。
上記実施の形態においては、動画撮影記録処理中に撮影条件の設定変更が行われると、設定変更後の動画データに対しては、該設定変更後の撮影条件で画像処理を施してフラッシュメモリ１１に記録するようにしたが、変形例３においては、更に、撮影条件が設定変更された場合であっても、画像記録処理開始時の撮影条件で画像処理が施された動画データ（原動画データ）をも記録するようにしてもよい。
【００８３】
つまり、変形例３においては、フラッシュメモリ１１に記録される動画データは、動画撮影記録処理中に設定変更がされた場合、変更後の撮影条件で画像処理が施された動画データと（上記実施の形態でフラッシュメモリ１１に記録される動画データ）、原動画データとの両方が記録されることとなる。
なお、変形例３においては、動画撮影記録処理中に撮影条件の設定変更が行われることを前提として説明するが、動画撮影記録処理中に設定変更がされなかった場合は、フラッシュメモリ１１に記録される動画データは１つである。
【００８４】
図８（ｂ）は、変形例３でフラッシュメモリ１１に記録される動画データの様子を示したものである。白色の動画フレームは上述したように、撮影記録処理開始時の撮影条件で画像処理が施されたフレームを表しており、斜線で描かれたフレームは、動画撮影記録処理中に設定変更された撮影条件で画像処理が施されたフレームをあわしている。
【００８５】
図８（ｂ）のＡは、フラッシュメモリ１１に記録された設定変更された動画データを表しており、Ｂは、フラッシュメモリ１１に記録された原動画データを表している。
設定変更された動画データＡは、撮影条件の設定変更が行われた時点から、撮影条件が変更されているのがわかる。これに対し、原動画データＢは、撮影条件の設定変更が行われても、撮影条件が変更されておらず、撮影記録処理開始時の撮影条件であることがわかる。
【００８６】
次に、原動画データＢと設定変更後の動画データＡの記録処理方法の一例を図９のタイミングチャートにしたがって説明する。
動画撮影記録処理を開始すると、撮影したフレームを１枚ずつ記録していく。図９（ａ）、（ｂ）、（ｃ）はそのときの様子を概略的に示したものである。動画撮影の時間が経つにつれ、記録されているフレーム数が増えているのがわかる。
【００８７】
そして、図９（ｃ）の時点で撮影条件の設定変更を行なうと、図９（ｄ）に示すように、今まで記録したフレームの次に、設定変更した撮影条件で画像処理が施されたフレームが記録されているのがわかる。そして、次に記録されるフレームも該設定変更された撮影条件で画像処理が施されたフレームであり、この処理を行うことにより、図９（ｆ）に示すような設定変更された動画データＡがフラッシュメモリ１１に記録されることとなる。
【００８８】
また、撮影条件の設定変更を行うと図９（ｅ）に示すように撮影条件設定変更前に記録されたすべてのフレームをコピーしてフラッシュメモリ１１に記録し、該記録したコピーフレームの次に、画像記録処理開始時の撮影条件で画像処理を施したフレームが記録されているのがわかる。そして、次に記録されるフレームも画像記録処理開始時の撮影条件で画像処理が施されたフレームであり、この処理を行うことにより、図９（ｇ）に示すような原動画データＢがフラッシュメモリ１１に記録されることとなる。
つまり、撮影条件の設定変更を行った場合は、ＣＰＵ９は、ＣＣＤ４によって撮像された動画データに、撮影記録処理開始時の撮影条件での画像処理と、設定変更後の撮影条件での画像処理との２つの画像処理を行い、２つの動画データをフラッシュメモリ１１に記録することとなる。
【００８９】
これにより、撮影条件の設定変更が失敗した場合でも、原動画データを記録するので、撮影条件の設定変更の失敗を担保することができる。また、原動画データＢと設定変更後の動画データＡとの両方を記録するので、撮影条件の設定変更していない動画と、設定変更した動画とを比べることにより、撮影条件の設定変更の効果などを確認することができる。
また、原動画データＢと設定変更後の動画データＢの画像の変わり具合を見ながら、どのように変更すればどのように画像が表示されるのかを学習することができ、今後の撮影条件の設定に際し、撮影状況、作画意図等に応じて適切な撮影条件を設定することができる。
また、変形例２と比べた場合、動画再生時には、撮影条件に応じた画像処理を行わなくて済む分だけ、動画再生処理の負担が軽減される。
【００９０】
なお、変形例３においては、原動画データＢの記録方法は、撮影条件設定変更前に記録されたフレームをコピーして、そのコピーフレームの次に画像記録処理開始時の撮影条件で画像処理が施されたフレームを記録するようにしたが（図９参照）、撮影条件設定変更前に記録されたフレームのコピーを行なわないようにしてもよい。
図１０は、そのときのフラッシュメモリ１１に記録される設定変更後の動画データＡ及び原動画データＢの様子を示すものである。
図を見ると明らかなように、原動画データＢは、撮影条件設定変更後に撮像された動画データのみであり、且つ、画像記録処理開始時の撮影条件で画像処理が施されているのがわかる。
【００９１】
そして、設定変更後の動画データＡと原動画データＢとを関連付けてフラッシュメモリ１１に記録し、動画再生時にユーザに設定変更後の動画データＡを表示させるか、原動画データＢを表示させるか否かを判断させ、原動画データＢを表示させる場合には、先ず動画データＡの設定変更前の動画データを再生し、その後、動画データＢ（設定変更後の動画データ）を再生するようにする。
これにより、まったく同じ動画データを記録するという無駄を省くことができ、フラッシュメモリ１１の容量を有効に使うことができる。
【００９２】
また、変形例３においては、動画撮影記録処理中に撮影条件の設定変更が行われると、該設定変更後の撮影条件に応じた画像処理が施された動画データ（上記実施の形態でフラッシュメモリ１１に記録される動画データ）と原動画データ（動画撮影記録処理開始時の撮影条件で画像処理が施された動画データ）とをフラッシュメモリ１１に記録するようにしたが、動画撮影記録処理中に撮影条件の設定変更が行われたか否かに拘わりなく、画像処理が施された動画データと、画像処理が施されていない動画データとの両方をフラッシュメモリ１１に記録するようにしてもよい。この画像処理が施された動画データに関しては、動画撮影記録処理中に撮影条件の設定変更が行われた場合は、該設定変更された撮影条件に応じた画像処理が施された動画データ（上記実施の形態によりフラッシュメモリ１１に記録される動画データ）が記録されることとなる。
【００９３】
また、変形例１と変形例２とを組み合わせるようにしてもよいし、変形例１と変形例３とを組み合わせるようにしてもよい。
また、上記各実施の形態における撮影装置は、上記の実施の形態に限定されるものではなく、カメラ付き携帯電話、ＰＤＡ、パソコン等、又はデジタルビデオカメラ等でもよく、要は動画を撮影することができる機器であれば何でもよい。
【図面の簡単な説明】
【００９４】
【図１】本発明の実施の形態のデジタルカメラのブロック図である。
【図２】本発明の実施の形態のデジタルカメラの動作を示すフローチャートである。
【図３】本発明の実施の形態のデジタルカメラの動作を示すフローチャートである。
【図４】メニュー表示前とメニュー表示後における画像表示部１０に表示される画面の様子を示した図である。
【図５】ホワイトバランスを変更することができる状態に切り替わったときの、画像表示部１０に表示される画像の様子を示した図である。
【図６】ＥＶ（露出補正）を変更することができる状態に切り替わったときの、画像表示部１０に表示される画像の様子を示した図である。
【図７】シャープネス及びフィルターを変更することができる状態に切り替わったときの、画像表示部１０に表示される画像の様子を示した図である。
【図８】本発明の実施の形態及び変形例３におけるフラッシュメモリ１１に記録される動画データの様子を示した図である。
【図９】変形例３において動画データがフラッシュメモリ１１に記録される様子を示した図である。
【図１０】変形例３におけるフラッシュメモリ１１に記録される動画データの様子を示した図である。
【符号の説明】
【００９５】
１      デジタルカメラ
２      フォーカスレンズ
３      ズームレンズ
４      ＣＣＤ
５      ユニット回路
６      ＴＧ
７      ＤＲＡＭ
８      ＲＯＭ
９      ＣＰＵ
１０    画像表示部
１１    フラッシュメモリ
１２    カードＩ／Ｆ
１３    メモリ・カード
１４    モータ駆動ブロック
１５    キー入力部
【図１】
2006094145.tif 000003
【図２】
2006094145.tif 000004
【図３】
2006094145.tif 000005
【図４】
2006094145.tif 000006
【図５】
2006094145.tif 000007
【図６】
2006094145.tif 000008
【図７】
2006094145.tif 000009
【図８】
2006094145.tif 000010
【図９】
2006094145.tif 000011
【図１０】
2006094145.tif 000012